(57)【特許請求の範囲】
【請求項１】
入力信号をアナログ−ディジタル変換することにより当該入力信号についての波形データを生成するＡ／Ｄ変換部と、所定の操作によって設定された信号レベル範囲に対応する前記入力信号の信号波形を前記生成された波形データに基づいて表示部に表示させる表示制御部とを備えている波形表示装置において、
前記表示制御部は、前記Ａ／Ｄ変換部の変換ダイナミックレンジと前記設定された信号レベル範囲との相対的な関係を示す第１の図表を前記表示部に表示させることを特徴とする波形表示装置。
【請求項２】
前記表示制御部は、前記所定の操作によって前記信号レベル範囲を設定するための信号レベル設定用画面と共に前記第１の図表を前記表示部に表示させることを特徴とする請求項１記載の波形表示装置。
【請求項３】
前記表示制御部は、前記設定された信号レベル範囲に対応する信号波形と共に前記第１の図表を前記表示部に表示させることを特徴とする請求項１記載の波形表示装置。
【請求項４】
前記表示制御部は、前記変換ダイナミックレンジと、前記Ａ／Ｄ変換部に入力された入力信号の最大値および最小値との相対的な関係を示す第２の図表を前記表示部に表示させることを特徴とする請求項１から３のいずれかに記載の波形表示装置。
【請求項５】
前記表示制御部は、前記信号レベル範囲が前記変換ダイナミックレンジの範囲外のレンジを含んで設定されたときに、その旨を報知するための報知表示を前記表示部に表示させることを特徴とする請求項１から４のいずれかに記載の波形表示装置。
【請求項６】
前記表示制御部は、前記変換ダイナミックレンジのレンジ範囲を示す第１の棒状表示と、当該第１の棒状表示の長さに対する比が前記変換ダイナミックレンジのレンジ範囲に対する前記設定された信号レベル範囲の比に等しい長さで、かつ前記変換ダイナミックレンジにおける信号レベルに対する前記設定された信号レベル範囲の信号レベルを比較可能に前記第１の棒状表示に並列配置した第２の棒状表示とで前記第１の図表を表示させることを特徴とする請求項１から４のいずれかに記載の波形表示装置。
【請求項７】
前記表示制御部は、前記信号レベル範囲が前記変換ダイナミックレンジの範囲外のレンジを含んで設定されたときに、その旨を報知するための報知表示として、当該信号レベル範囲が当該変換ダイナミックレンジのレンジ範囲内で設定されたときの表示色とは異なる表示色、または点滅表示で前記第２の棒状表示を表示させることを特徴とする請求項６記載の波形表示装置。
【請求項８】
入力信号をＡ／Ｄ変換部によってアナログ−ディジタル変換することにより当該入力信号についての波形データを生成し、所定の操作によって信号レベル範囲が設定されたときに、当該信号レベル範囲に対応する前記入力信号の信号波形を前記生成された波形データに基づいて表示部に表示させる波形表示装置の表示方法において、
前記Ａ／Ｄ変換部の変換ダイナミックレンジと前記設定された信号レベル範囲との相対的な関係を示す図表を前記表示部に表示することを特徴とする波形表示装置の表示方法。
【発明の詳細な説明】
【０００１】
【発明の属する技術分野】
本発明は、設定された信号レベル範囲に対応する入力信号の信号波形を表示部に表示する波形表示装置および波形表示装置の表示方法に関するものである。
【０００２】
【従来の技術】
この種の波形表示装置として、出願人は、図６に示す波形表示装置３１を既に開発している。この波形表示装置３１は、装置の表示条件などを設定するための複数のスイッチが配設されている操作部２と、信号波形を表示するための表示条件を設定する際に用いられる表示条件設定用画面や、設定された表示条件に応じた信号波形を表示する波形表示用画面などを表示する表示部３と、図外のレンジアンプと、所定の変換ダイナミックレンジを有し、その変換ダイナミックレンジ内のアナログ信号をディジタルデータである波形データに変換して波形データを生成するＡ／Ｄ変換部とを備えている。
【０００３】
操作部２には、レンジ切替用キー部４、ファンクションキー部５、カーソル移動キー部６、ＳＹＳＴＥＭキー７、ＤＩＳＰキー８などが配設されている。ここで、レンジ切替用キー部４は、レンジアンプのレンジ切り替えに用いられる複数のキー４ａ，４ｂ，・・を備えている。ファンクションキー部５は、装置の動作状況に応じて様々な機能を自動的に割り付けられるキー５ａ〜５ｅを備えている。また、カーソル移動キー部６は、表示部３に表示されるカーソルを上下左右に移動させるためのキー６ａ〜６ｄを備えている。ＳＹＳＴＥＭキー７は、装置の表示条件を設定する際に、表示条件設定用画面を表示部３に表示させる機能を有している。ＤＩＳＰキー８は、表示部３の表示画面を表示条件設定用画面から波形表示用画面に切り替えるための画面切替用キーとして機能する。
【０００４】
次に、この波形表示装置３１における信号波形を表示させるための手順について、図５〜８を参照して説明する。
【０００５】
最初に、入力レンジの設定操作を行う。この操作では、入力信号の信号波形Ｗ１がＡ／Ｄ変換部の変換ダイナミックレンジ内に収まるように、レンジ切替用キー部４のキーを操作することによってレンジアンプの利得を調整する。したがって、この利得調整に応じて、図５の模式図４１に示すように、Ａ／Ｄ変換部に入力される信号波形Ｗ１の振幅値（−ｎＶ〜＋ｎＶ）が変動する。ここで、この波形表示装置３１における入力信号の入力ダイナミックレンジと、表示部３に表示される信号レベルの範囲である表示信号レベル範囲との関係について説明する。この波形表示装置３１では、装置の入力ダイナミックレンジは、レンジアンプの利得の逆数とＡ／Ｄ変換部の変換ダイナミックレンジとを互いに乗算した信号レベル範囲に等しくなっている。このため、レンジアンプの利得を下げることにより、装置全体としての入力ダイナミックレンジと表示信号レベル範囲とを共に大きくすることができる。したがって、この場合には、大きな振幅値の信号波形全体を表示部３に表示するのに適している。逆に、レンジアンプの利得を上げることにより、装置全体としての入力ダイナミックレンジを小さくすることができ、この場合には、小振幅値の信号波形全体や、大振幅値の信号波形の一部を表示部３に表示するのに適している。
【０００６】
次に、表示部３の表示信号レベル範囲を設定する。この設定操作では、表示部３の表示画面における振幅軸方向の１div に対応する表示レンジを規定するための表示レンジ設定操作と、表示部３の表示画面に対する信号波形の表示位置を設定する表示位置設定操作とを行う必要がある。なお、以下の説明においては、模式図４１に示すように、Ａ／Ｄ変換部における上限値ＵＬから下限値ＬＬまでを変換ダイナミックレンジＤｒとし、表示部３の表示画面２３ａ〜２３ｄにおける各々の最低電圧値を０位置Ｐ０ａ〜Ｐ０ｄ（区別しないときには、「０位置」ともいう）と表記し、各々の最高電圧値を１位置Ｐ１ａ〜Ｐ１ｄ（区別しないときには、「１位置」ともいう）と表記し、０位置〜１位置までを０％〜１００％に対応させるものとする。
【０００７】
最初に、ＳＹＳＴＥＭキー７を操作することにより、図７に示す表示条件設定用画面２２を表示部３に表示させる。このとき、カーソル２０は、同図に示すように、チャンネル１の表示レンジの単位を示す位置に表示されている。この際に、ファンクションキー部５のキー５ｂ，５ｃは、表示レンジの候補群を選択するための機能が割り付けられると共に、その割り付けられた機能を示す矢印表示２５ｂ，２５ｃ（この状態では、矢印表示２５ａ，２５ｄは表示されない）が、キー５ｂ，５ｃに対応して表示部３にそれぞれ表示される。次に、表示レンジ設定操作を行う。この操作では、任意の表示レンジに設定することにより、表示部３に表示される信号波形を縦方向に拡大または縮小することができる。同図は、両キー５ｂ，５ｃを用いて「５００ｍＶ」に指定した例を示している。この場合、倍率が２倍に設定されているため、２div 当たりで５００ｍＶの表示レンジになる結果、１div 当たり２５０ｍＶの表示レンジに設定される。なお、倍率を値１に設定すると共に２５０ｍＶ／div に設定しても、１div 当たり２５０ｍＶの表示レンジに設定することができる。
【０００８】
次いで、表示位置設定操作を行う。この操作では、表示画面の０位置をＡ／Ｄ変換部における変換ダイナミックレンジＤｒの任意の値にレベル合わせを行うことにより、観測を希望する信号波形の任意の部位を表示部３に表示させる。具体的に図５を参照して説明すれば、模式図４１において、変換ダイナミックレンジＤｒの０Ｖ近傍の信号波形Ｗ１を表示部３に表示させたいときには、表示レンジを所定の電圧に設定した後に、変換ダイナミックレンジＤｒの０Ｖを表示画面の５０％の位置に設定する。これにより、同図の表示画面２３ａに示すように、変換ダイナミックレンジＤｒの０Ｖ近傍の信号波形Ｗ１が表示部３に表示される。同様にして、表示画面２３ａと同一の表示レンジにした状態において、変換ダイナミックレンジＤｒの０Ｖを表示画面の仮想的な２００％の位置に設定すれば、同図の表示画面２３ｂに示すように、信号波形Ｗ１のマイナス側のピーク電圧近傍が表示部３に表示される。同じく、表示レンジを同一にした状態において、変換ダイナミックレンジＤｒの０Ｖを表示画面の０％の位置に設定すれば、同図の表示画面２３ｃに示すように、信号波形Ｗ１のプラス側電圧の０Ｖ近辺が表示部３に表示され、また、変換ダイナミックレンジＤｒの０Ｖを表示画面の仮想的な−１００％の位置に設定すれば、同図の表示画面２３ｄに示すように、信号波形のプラス側のピーク電圧近辺が表示部３に表示される。なお、表示部３の表示画面に表示される信号波形Ｗ１の振幅範囲は、上記した表示レンジ設定処理において設定された表示レンジに応じて変化するのは勿論である。
【０００９】
この操作では、キー６ｄを操作することにより、カーソル２０を表示位置設定項目の位置（図７において「０位置」の位置）に位置合わせする。ここで、ファンクションキー部５のキー５ａ〜５ｄには、それぞれ、１％刻みでのアップ機能、１０％刻みでのアップ機能、１０％刻みでのダウン機能、１％刻みでのダウン機能が割り付けられ、その割り付けられた機能を示す矢印表示２５ａ〜２５ｄが表示される。次いで、この状態で、各キー５ａ〜５ｄを操作することによって信号波形の表示位置を設定する。
【００１０】
以上により、表示信号レベル範囲の設定を終了し、操作部２のＤＩＳＰキー８を操作することにより、表示部３には、信号波形表示用画面２３が表示され、この信号波形表示用画面２３には、例えば、図８に示すように、設定された信号レベル範囲に対応する部位の信号波形Ｗ２が表示される。なお、信号波形Ｗ２の全体を表示部３に表示させようとしたにも拘わらず、同図に示すように一部のみが表示されてしまったような場合には、不適当な値で表示位置が設定されている。このような場合には、前述したように、ＳＹＳＴＥＭキー７を操作することにより、表示条件設定用画面２２を再度表示させ、上述した表示位置設定操作を繰り返すことにより、測定者の目的とする信号波形Ｗ２の全体を信号波形表示用画面２３に表示させることができる。
【００１１】
【発明が解決しようとする課題】
ところが、この波形表示装置３１には、以下の改善すべき点がある。
すなわち、波形表示装置３１では、前述した操作によって信号波形の任意の部位を表示部３に表示させることができる。しかし、測定者は、表示位置や表示レンジの設定において、測定者の目的に合致する信号波形を表示させるための数値を正確に把握することは、操作に不慣れな測定者にとっては困難である。このため、測定者は、まず、正しいと予測した数値で設定した信号波形を表示部３に表示させ、表示された信号波形が目的に合致しないときには、目的に合致する信号波形が表示されるまで、この設定を繰り返す必要がある。このため、この波形表示装置３１には、目的に合致する信号波形を表示させるまでの作業が煩雑であるという課題がある。
また、設定誤りなどによって、表示部３に信号波形が表示されなかったりすることがある。かかる場合には、装置が故障したのか、装置に表示対象信号が入力されていないのか、あるいは設定誤りであるのか、その原因を直ちには特定することができない。したがって、この波形表示装置３１には、目的に合致した信号波形が表示されなかったときの原因の特定が困難であるという課題もある。
【００１２】
本発明は、かかる改善点に鑑みてなされたものであり、信号波形を表示させる信号レベル範囲がＡ／Ｄ変換部の変換ダイナミックレンジに対してどのような関係であるのかを容易に認識させることが可能な波形表示装置および波形表示装置の表示方法を提供することを主目的とする。
【００１３】
【課題を解決するための手段】
上記目的を達成すべく請求項１記載の波形表示装置は、入力信号をアナログ−ディジタル変換することにより入力信号についての波形データを生成するＡ／Ｄ変換部と、所定の操作によって設定された信号レベル範囲に対応する入力信号の信号波形を生成された波形データに基づいて表示部に表示させる表示制御部とを備えている波形表示装置において、表示制御部は、Ａ／Ｄ変換部の変換ダイナミックレンジと設定された信号レベル範囲との相対的な関係を示す第１の図表を表示部に表示させることを特徴とする。
【００１４】
この波形表示装置では、表示部に表示させる信号レベル範囲が測定者によって設定された際に、表示制御部が、第１の図表を表示部に表示させる。この場合、第１の図表には、Ａ／Ｄ変換部の変換ダイナミックレンジと、設定された信号レベル範囲との相対的な関係が示されている。このため、測定者は、自身が設定した信号レベル範囲が、Ａ／Ｄ変換部の変換ダイナミックレンジに対してどのような関係であるのかを容易に認識することができる。したがって、例えば、Ａ／Ｄ変換部の変換ダイナミックレンジ全体に亘る信号波形を表示させたいときには、第１の図表において、変換ダイナミックレンジと、設定しようとする信号レベル範囲とが相対的に等しくなるように、信号レベル範囲を設定すればよく、Ａ／Ｄ変換部の変換ダイナミックレンジの特定の部位に対応する信号波形を表示させたいときには、その部位と、設定しようとする信号レベル範囲とが相対的に等しくなるように設定すればよい。このように、測定者は、第１の図表を参照することにより、目的に合致する信号波形を表示部３に容易に表示させることが可能となる。また、設定した信号レベル範囲がＡ／Ｄ変換部のダイナミックレンジを外れているときには、第１の図表を参照することによって、その事実を直ちに認識することができるため、直ちに設定誤りに気付くことが可能となる。
【００１５】
請求項２記載の波形表示装置は、請求項１記載の波形表示装置において、表示制御部は、所定の操作によって信号レベル範囲を設定するための信号レベル設定用画面と共に第１の図表を表示部に表示させることを特徴とする。
【００１６】
必ずしも第１の図表と信号レベル設定用画面とを同時に表示させる必要はないが、この波形表示装置では、表示範囲制御部が、信号レベル設定用画面と共に第１の図表を表示させる。したがって、測定者は、第１の図表を信号レベルの設定の際に参照することができるため、目的に合致した信号レベル範囲を迅速かつ的確に設定することが可能になる。
【００１７】
請求項３記載の波形表示装置は、請求項１記載の波形表示装置において、表示制御部は、設定された信号レベル範囲に対応する信号波形と共に第１の図表を表示部に表示させることを特徴とする。
【００１８】
この波形表示装置では、表示制御部が、設定された信号レベル範囲に対応する信号波形と共に第１の図表を表示部に表示させる。このため、目的に合致しない信号波形が表示部に表示された際には、第１の図表を参照することにより、測定者は、設定誤りを直ちに認識することが可能になる。
【００１９】
請求項４記載の波形表示装置は、請求項１から３のいずれかに記載の波形表示装置において、表示制御部は、変換ダイナミックレンジと、Ａ／Ｄ変換部に入力された入力信号の最大値および最小値との相対的な関係を示す第２の図表を表示部に表示させることを特徴とする。
【００２０】
この波形表示装置では、表示制御部が、第１の図表と第２の図表とを表示部に表示させる。この場合、第２の図表には、変換ダイナミックレンジと、Ａ／Ｄ変換部に入力された入力信号の最大値および最小値との相対的な関係が示されている。したがって、測定者は、入力信号の最大値および最小値と、設定した信号レベル範囲との関係を直ちに認識することができる。このため、信号波形の全体を表示部に表示部に表示させたいときには、第１の図表における信号レベル範囲と、第２の図表時における入力信号の最大値および最小値とが相対的に等しくなるように設定することにより、迅速かつ容易に表示させることが可能となる。
【００２１】
請求項５記載の波形表示装置は、請求項１から４のいずれかに記載の波形表示装置において、表示制御部は、信号レベル範囲が変換ダイナミックレンジの範囲外のレンジを含んで設定されたときに、その旨を報知するための報知表示を表示部に表示させることを特徴とする。
【００２２】
この波形表示装置では、測定者が変換ダイナミックレンジの範囲外のレンジを含んで信号レベル範囲を設定した場合に、表示制御部が、その旨を報知するための報知表示を表示部に表示させる。したがって、測定者は、信号レベル範囲の誤った設定を直ちに認識することが可能となる。
【００２３】
請求項６記載の波形表示装置は、請求項１から４のいずれかに記載の波形表示装置において、表示制御部は、変換ダイナミックレンジのレンジ範囲を示す第１の棒状表示と、第１の棒状表示の長さに対する比が変換ダイナミックレンジのレンジ範囲に対する設定された信号レベル範囲の比に等しい長さで、かつ変換ダイナミックレンジにおける信号レベルに対する設定された信号レベル範囲の信号レベルを比較可能に第１の棒状表示に並列配置した第２の棒状表示とで第１の図表を表示させることを特徴とする。
【００２４】
第１の図表としては、数値などによって表示させることも可能ではある。一方、この波形表示装置では、表示制御部が、設定した信号レベル範囲と変換ダイナミックレンジとを、棒状で並列配置して表示する。このため、測定者は、両者の相対的な関係を視覚的に直感することができるため、より迅速かつ正確に信号レベル範囲の設定を行うことが可能になる。
【００２５】
請求項７記載の波形表示装置は、請求項６記載の波形表示装置において、表示制御部は、信号レベル範囲が変換ダイナミックレンジの範囲外のレンジを含んで設定されたときに、その旨を報知するための報知表示として、信号レベル範囲が変換ダイナミックレンジのレンジ範囲内で設定されたときの表示色とは異なる表示色、または点滅表示で第２の棒状表示を表示させることを特徴とする。
【００２６】
この波形表示装置では、測定者によって設定された信号レベル範囲が、Ａ／Ｄ変換部の変換ダイナミックレンジの範囲外を含んで設定されている場合には、変換ダイナミックレンジ内で正しく設定されたときの表示色とは異なる表示色、または点滅表示で第２の棒状表示を表示させる。したがって、測定者は、誤設定した時点で、その誤りを直ちに認識することが可能となる。
【００２７】
請求項８記載の波形表示装置の表示方法は、入力信号をＡ／Ｄ変換部によってアナログ−ディジタル変換することにより入力信号についての波形データを生成し、所定の操作によって信号レベル範囲が設定されたときに、信号レベル範囲に対応する入力信号の信号波形を生成された波形データに基づいて表示部に表示させる波形表示装置の表示方法において、Ａ／Ｄ変換部の変換ダイナミックレンジと設定された信号レベル範囲との相対的な関係を示す図表を表示部に表示することを特徴とする。
【００２８】
【発明の実施の形態】
以下、添付図面を参照して、本発明に係る波形表示装置の好適な実施の形態について説明する。なお、出願人が既に開発している波形表示装置３１と同一の構成要素については同一の符号を付して重複した説明を省略し、同一の操作方法についても重複した説明を省略する。
【００２９】
最初に、図１のブロック図を参照して、本発明の実施の形態に係る波形表示装置１の電気的な構成について説明する。
【００３０】
同図に示すように、波形表示装置１は、操作部２、表示部３、レンジアンプ１１、Ａ／Ｄ変換部１２、ＤＭＡコントローラ１３、データＲＡＭ１４、ＣＰＵ１５、ＲＯＭ１６、ＲＡＭ１７、プリンタ１８、インターフェース部１９を備えて構成されている。
【００３１】
表示部３は、ＬＣＤパネルで構成されているが、これに限定されず、ブラウン管（ＣＲＴ）などを用いることもできる。レンジアンプ１１は、入力した表示対象の入力信号ＳINをＣＰＵ１５の制御に従い所定の利得で増幅または減衰させてＡ／Ｄ変換部１２に出力する。Ａ／Ｄ変換部１２は、レンジアンプ１１を介して入力した入力信号ＳINを所定のサンプリング信号に同期してサンプリングしてアナログ−ディジタル変換することにより、波形データＤS を生成する。ＤＭＡコントローラ１３は、Ａ／Ｄ変換部１２によって生成された波形データＤS をデータＲＡＭ１４に直接的に転送する。データＲＡＭ１４は、ストレージＲＡＭで構成されており、ＤＭＡコントローラ１３により入力される波形データＤS を記憶し、ＤＭＡコントローラ１３を介して、ＣＰＵ１５に波形データＤS を出力する。
【００３２】
ＣＰＵ１５は、本発明における表示制御部に相当し、操作部２に配設された各種キーのキー操作によるキー信号の入力、表示条件設定用画面２２の表示制御、その表示条件設定用画面２２上で設定された信号レベル範囲に対応する入力信号ＳINについての信号波形の表示制御、入力信号ＳINの最大値および最小値の測定、操作部２から出力される所定のキー信号に応じてのレンジアンプ１１の利得制御、並びにインターフェース部１９を介しての外部装置との通信制御などを実行する。ＲＯＭ１６は、ＣＰＵ１５の動作プログラムを記憶し、ＲＡＭ１７は、ＣＰＵ１５の演算結果などを一時的に記憶する。プリンタ１８は、特に限定されないが、サーマルプリンタで構成されており、ＣＰＵ１５の制御下で、表示部３に表示されている信号波形や表示画面のハードコピーなどを印刷する。インターフェース部１９は、外部装置としてのメモリカード、ＰＣカード、ＲＳ２３２Ｃ通信用カードなどとの間における出力データＤOUT および入力データＤINの受け渡しを行う。
【００３３】
次に、この波形表示装置１における信号波形の表示制御を説明する。
【００３４】
電源スイッチが投入されると、図６に示す初期画面２１が表示部３に表示される。次に、図外の測定用プローブを介して表示対象信号が入力された状態において、レンジ切替用キー部４のキーを操作すると、Ａ／Ｄ変換部１２が、レンジアンプ１１を介して入力された入力信号ＳINをアナログ−ディジタル変換することにより波形データＤS を生成し、生成した波形データＤS をＤＭＡコントローラ１３に出力する。ＤＭＡコントローラ１３は、波形データＤS をデータＲＡＭ１４へ順次転送して記憶させると共に、転送を完了した都度、ＣＰＵ１５に対して転送終了信号ＳTEを出力する。一方、ＣＰＵ１５は、入力信号ＳINの信号波形を表示部３に表示させる際には、ＤＭＡコントローラ１３に対してデータ転送命令信号ＳTSを出力することにより、ＤＭＡコントローラ１３を介してデータＲＡＭ１４から波形データＤS を読み出し、読み出した波形データＤS に基づいて信号波形を表示部３に表示させる。この際、ＣＰＵ１５は、表示信号レベル範囲の設定操作によって設定された表示信号レベルに対応する信号波形を表示させる。
【００３５】
次に、表示信号レベル範囲の設定操作について、具体的に説明する。
【００３６】
この操作では、まず、操作部２のＳＹＳＴＥＭキー７を操作することにより、図２に示す表示条件設定用画面２２（本発明における「信号レベル設定用画面」に相当する）を表示部３に表示させる。この際には、本発明における第１および第２の図表に相当する表示状態確認用画面２４が表示条件設定用画面２２に重ね合わされて表示される。表示状態確認用画面２４には、同図に示すように、Ａ／Ｄ変換部１２の変換ダイナミックレンジＤｒの上限値から下限値までのレンジ範囲を縦軸に示すダイナミックレンジ表示２６（本発明における「第１の棒状表示」に相当する）と、表示条件設定用画面２２において設定され表示部３に表示される信号波形の信号レベル範囲を示す表示バー２７（本発明における「第２の棒状表示」に相当する）と、Ａ／Ｄ変換部１２に入力された入力信号ＳINの信号レベル範囲を示す波形バー２８とが表示される。この場合、表示バー２７は、緑色で表示され、かつ、その長さおよび位置は、設定された信号波形の信号レベル範囲と、変換ダイナミックレンジＤｒのレンジ範囲との相対的な関係を一見して理解することができるように表示されている。一方、波形バー２８は、緑色で表示され、かつ、その長さおよび位置は、Ａ／Ｄ変換部１２に入力された入力信号ＳINの信号レベル範囲と、変換ダイナミックレンジＤｒのレンジ範囲との相対的な関係が一見して理解することができるように表示されている。
【００３７】
次に、表示条件設定用画面２２および表示状態確認用画面２４が表示されている状態において、表示状態確認用画面２４を参照しつつ、ファンクションキー部５のキー５ｂ，５ｃを操作することによって、表示条件設定用画面２２上で表示レンジを設定する。なお、設定方法自体は、出願人が既に開発している波形表示装置３１における操作方法と同じに行うことができる。この場合、入力キー部４のキー４ａ，４ｂによってレンジアンプ１１の利得を変化させる際には、利得を大きくすれば、それに従って波形バー２８が長くなる。したがって、入力信号ＳINの全体を高精度で表示させるには、波形バー２８がダイナミックレンジ表示２６の上限値から下限値までの長さと等しくなるように、キー４ａ，４ｂによってレンジアンプ１１の利得を調整する。一方、表示レンジの大きさを変化させる際には、表示レンジを大きくすれば、それに従って表示バー２７が長くなり、また、表示倍率を大きな値に変化させる際には、表示倍率を大きくすれば、それに従って表示バー２７が短くなる。また、表示位置設定操作において、０％に設定した際には、表示バー２７は、その長さ方向における下端がダイナミックレンジ表示２６の０Ｖに対応する部位に位置し、表示位置設定操作においてプラス側に大きく設定すれば、それに従って、ダイナミックレンジ表示２６の縦軸方向の下側に位置するように移動し、また、マイナス側に大きく設定すれば、それに従って、ダイナミックレンジ表示２６の縦軸方向の上側に位置するように移動する。
【００３８】
したがって、上記の操作において入力信号ＳINの全体を表示させるには、表示バー２７と波形バー２８とが同じ長さで、かつダイナミックレンジ表示２６の縦軸に対して同じ位置に並列表示されるように、表示レンジおよび表示位置を調整する。また、信号波形の特定の部位を拡大して表示させるには、表示バー２７が、波形バー２８の特定の部位の長さに等しく、かつダイナミックレンジ表示２６の縦軸に対して同じ位置に並列表示されるように、表示レンジおよび表示位置を調整する。このように、表示部３に表示される信号波形が表示レンジおよび表示位置の設定結果に応じてどのように変化するのかを、表示状態確認用画面２４において確認することができる。このため、迅速かつ容易に、しかも表示目的に合致するように、表示信号レベル範囲を設定することができる。また、同時に、誤った設定を未然に防止することができる。
【００３９】
また、表示信号レベル範囲の設定を行った際に、表示信号レベル範囲がＡ／Ｄ変換部１２の変換ダイナミックレンジＤｒの範囲外のレンジを含んで設定された場合には、図３に示すように、ＣＰＵ１５は、表示状態確認用画面２４における表示バー２７の表示色を、緑色から例えば赤色に変え、かつ点滅表示させる（本発明における「報知表示」に相当する）。この結果、測定者は、信号レベル範囲の設定が変換ダイナミックレンジＤｒ外のレンジを含んで設定したたことを直ちに認識することができ、これにより、正しい値に設定変更することができる。
【００４０】
上記の表示信号レベル範囲の設定が終了すると、ＣＰＵ１５は、図４に示すように、表示信号レベル範囲の設定に従い信号波形表示用画面２３を表示部３に表示する。この場合にも、所定の操作を行うことにより、ＣＰＵ１５が、信号波形表示用画面２３に重ね合わせて表示状態確認用画面２４を表示させる。また、ＣＰＵ１５は、この際に、ファンクションキー部５のキー５ａ〜５ｄに対して表示位置の設定変更機能を割り付けると共に、割り付けられた機能を示す矢印表示２５ａ〜２５ｄを表示部３に表示させる。したがって、測定者は、表示部３に信号波形Ｗ３が表示されている状態において、表示されている信号波形の表示位置を設定変更することができる。具体的には、測定者は、表示状態確認用画面２４における波形バー２８および表示バー２７を比較参照しつつ、キー５ａ〜５ｄを操作することにより、信号波形Ｗ３の任意の部位を表示部３に表示させることができる。このため、表示位置を変更しようとする場合には、表示条件設定用画面２２を再度表示させる作業を省くことができると共に、実際に表示されている信号波形Ｗ３および表示状態確認用画面２４を参照しながら表示位置の設定を行うことができるため、極めて容易で、しかも迅速に表示位置設定操作を行うことができる。なお、表示状態確認用画面２４は、所定の操作を行うことによって、表示部３に随時表示させることができ、かつ所定の操作によって随時消去させることができる。
【００４１】
このように、この波形表示装置１では、Ａ／Ｄ変換部１２の変換ダイナミックレンジＤｒのレンジ範囲と、設定された信号レベル範囲と、Ａ／Ｄ変換部１２に入力された入力信号ＳINの信号レベルとの相対関係を示す表示状態確認用画面２４を表示部３に表示させることにより、測定者は、従来では困難かつ煩雑であった表示信号レベル範囲の設定を容易かつ迅速で、しかも正確に設定することができる。
【００４２】
なお、本発明は、上記した実施の形態に限定されない。例えば、本発明の実施の形態では、表示状態確認用画面２４における表示バー２７および波形バー２８を棒状に表示する例について説明したが、Ａ／Ｄ変換部１２の変換ダイナミックレンジＤｒと、表示部３に表示される信号波形の信号レベル範囲と、Ａ／Ｄ変換部１２に入力された入力信号ＳINの信号レベルとの互いの相対的な関係が理解できればよく、数値で表示することもできる。また、表示状態確認用画面２４内における表示方法、表示色および報知表示などは適宜変更することができる。さらに、本発明では、信号波形を表示させる際に、表示部３に表示させる信号レベル範囲を数値によって直接的に設定する方法を採用することもできる。
【００４３】
【発明の効果】
以上のように、請求項１記載の波形表示装置および請求項８記載の波形表示装置の表示方法によれば、Ａ／Ｄ変換部の変換ダイナミックレンジと設定された信号レベル範囲との相対的な関係を示す図表を表示部に表示させることにより、測定者に対し、自身が設定した信号レベル範囲が、Ａ／Ｄ変換部の変換ダイナミックレンジに対してどのような関係であるのかを容易に認識させることができる。これにより、測定者は、図表を参照することにより、目的に合致する信号波形を表示部に容易に表示させることができると共に、設定誤りの原因を直ちに知ることができる。
【００４４】
また、請求項２記載の波形表示装置によれば、表示制御部が、所定の操作によって信号レベル範囲を設定するための信号レベル設定用画面と共に第１の図表を表示部に表示させることにより、測定者は、目的に合致した信号レベル範囲を迅速かつ的確に設定することができる。
【００４５】
さらに、請求項３記載の波形表示装置によれば、表示制御部が、設定された信号レベル範囲に対応する信号波形と共に第１の図表を表示部に表示させることにより、目的に合致しない信号波形が表示部に表示された際に、測定者は、第１の図表を参照することによって、設定誤りを直ちに認識することができる。
【００４６】
また、請求項４記載の波形表示装置によれば、表示制御部が、変換ダイナミックレンジと、Ａ／Ｄ変換部に入力された入力信号の最大値および最小値との相対的な関係を示す第２の図表を表示部に表示させることにより、測定者に対し、入力信号の最大値および最小値と、設定した信号レベル範囲との関係を直ちに認識させることができる。これにより、測定者は、目的に合致する信号波形を迅速かつ容易に表示部に表示させることができる。
【００４７】
請求項５記載の波形表示装置によれば、信号レベル範囲が変換ダイナミックレンジの範囲外のレンジを含んで設定されたときに、表示制御部が、その旨を報知するための報知表示を表示部に表示させることにより、測定者は、信号レベル範囲の誤った設定を直ちに認識することができる。
【００４８】
請求項６記載の波形表示装置によれば、表示制御部が、第１の棒状表示および第２の棒状表示で第１の図表を表示させることにより、測定者は、両者の相対的な関係を視覚的に直感することができる結果、より迅速かつ正確に信号レベル範囲を設定することができる。
【００４９】
請求項７記載の波形表示装置によれば、表示制御部が、報知表示として、信号レベル範囲が変換ダイナミックレンジの範囲内で設定されたときの表示色とは異なる表示色、または点滅表示で第２の棒状表示を表示させることにより、測定者は、誤設定した時点で、その誤りを直ちに認識することができる。
【図面の簡単な説明】
【図１】  本発明の実施の形態に係る波形表示装置のブロック図である。
【図２】  本発明の実施の形態に係る波形表示装置の表示部に表示条件設定用画面と表示状態確認用画面とが重ね合わされて表示されている状態の表示画面図である。
【図３】  本発明の実施の形態に係る波形表示装置の表示部における表示状態確認用画面上に報知表示が表示されている状態の表示画面図である。
【図４】  本発明の実施の形態に係る波形表示装置の表示部に信号波形表示用画面と表示状態確認用画面とが重ね合わされて表示されている状態の表示画面図である。
【図５】  本発明の実施の形態に係る波形表示装置および出願人が既に開発した波形表示装置における信号波形表示用画面に表示される信号波形の信号レベル範囲とＡ／Ｄ変換部の変換ダイナミックレンジとの相対的な関係を示す説明図である。
【図６】  本発明の実施の形態に係る波形表示装置および出願人が既に開発した波形表示装置の外観図である。
【図７】  出願人が既に開発した波形表示装置の表示部に表示条件設定用画面が表示されている状態の表示画面図である。
【図８】  出願人が既に開発した波形表示装置の表示部に信号波形表示用画面が表示されている状態の表示画面図である。
【符号の説明】
１  波形表示装置
３  表示部
１２  Ａ／Ｄ変換部
１５  ＣＰＵ
２２  表示条件設定用画面
２３  信号波形表示用画面
２４  表示状態確認用画面
２６  ダイナミックレンジ表示
２７  表示バー
２８  波形バー
【図１】
0004233622.tif 000002
【図２】
0004233622.tif 000003
【図３】
0004233622.tif 000004
【図４】
0004233622.tif 000005
【図５】
0004233622.tif 000006
【図６】
0004233622.tif 000007
【図７】
0004233622.tif 000008
【図８】
0004233622.tif 000009